(57)【要約】【課題】切り紙、折り紙、ハワイアンキルトの型紙の製作時に用いられる、６つ折り、１０折りの折り曲げ作業を簡単、正確にすることを可能にする補助具。【解決手段】切り紙、折り紙、ハワイアンキルトの型紙の製作に用いられる６つ折り、１０折りの折り曲げ作業にそれぞれ必要な角度６０度の折り曲げ線と角度７２度の折り曲げ線を、折り曲げ角度部と台座部から成る２つ折りにされた板を用いて簡単かつ正確に、折り目をつけることを可能とした。【選択図】    図３
2011062913.tif 000002
【特許請求の範囲】
【請求項１】
切り紙や折り紙の６つ折りと１０折りを折る際の補助具であって、折り返し可能な板からなるもので、直線状に２つ折りに折り返された形態をもち、前記板をいったん開いた状態で、谷折りにされている面の折り曲げられてできる直線状の辺を折り曲げ辺とし前記折り曲げ辺を、切り紙補助具を使用する者の側に向けて左右に向かって存在する状態で上下左右を定義し、前記折り曲げ辺に対し対応する上側の面を折り曲げ角度部とし、前記折り曲げ辺に対し対応する下側の面を台座部とし、その折り返された折り曲げ辺の裏側に沿って薄肉部を形成し、この薄肉部において前記折り曲げ角度部を折り返し可能とし、前記折り曲げ辺の左右のどちらかの端に対し、折り曲げ角度部は切り紙補助具上の折り曲げ辺から角度６０度又は７２度のいずれかの角度をなす一辺を持ち合わせ、この一辺を折り曲げ基準端とし、さらに前記折り曲げ辺の折り曲げ角度部の折り曲げ基準端が接する端に対し、前記台座部の一辺が角度９０度をなす辺を持ち合わせ、この一辺を台座部基準端とし、開いた状態の切り紙補助具の前記折り曲げ辺に、正方形の紙を対角線に２つ折りした三角形の紙の底辺を合わせると同時に前記三角形の紙の頂点を台座部基準端にあわせて設置し、折り曲げ角度部を手前に折り返す形で設置された前記三角形の紙を押さえると同時に折り曲げ角度部の折り曲げ規準端に沿って前記三角形の紙を手前に折り曲げることにより、前記の三角形の紙の底辺に対し底辺の中心点を至る角度６０度もしくは７２度の折れ線を示すことを特徴とする切り紙補助具。
【請求項２】
前記折り曲げ辺は表面と裏面の両面に薄肉部を形成し、折り曲げ角度部が切り紙補助具の表面と裏面の両面に折り曲げ可能としたことを特徴とする切り請求項１記載の切り紙補助具。
【請求項３】
前記折り曲げ辺は、折り曲げ角度部と台座部の間に前記三角形に２つ折りした紙が入る隙間を設けた状態で、前記折り曲げ辺に当たる所に断面略U字状に折り曲げ加工を施された略Ｕ字曲げ部をもつ請求項１記載の切り紙補助具。
【請求項４】
前記切り紙補助具は、折り曲げ辺の両端に切り紙補助具上の折り曲げ辺から角度６０度折又は７２度のいずれかの角度をなす２つの辺を持ち合わせ、この２つの辺を折り曲げ基準端とし、さらに前記折り曲げ辺の両端に対し、前記台座部の２つの辺が角度９０度をなし、２つの台座部基準端を要することを特徴とする請求項１記載の切り紙補助具。
【請求項５】
前記折り曲げ辺は表面と裏面の両面に薄肉部を形成し、折り曲げ角度部が切り紙補助具の表面と裏面の両面に折り曲げ可能としたことを特徴とする請求項４記載の切り紙補助具。
【請求項６】
前記折り曲げ辺は、折り曲げ角度部と台座部の間に前記三角形に２つ折りした紙が入る隙間を設けた状態で前記折り曲げ辺に当たる所に断面略U字状に折り曲げ加工を施された略Ｕ字曲げ部をもつ請求項４記載の切り紙補助具。
【発明の詳細な説明】
【技術分野】
【０００１】
本発明は切り紙、折り紙、ハワイアンキルトの型紙製作の折り曲げ作業を簡単、正確に折るための補助具に関する。
【背景技術】
【０００２】
紙を折り模様を切り出すと連続模様が出来上がる。切り紙の技法は古くから知られている。代表的な図柄として、花や雪の結晶が知られている。またハワイアンキルトの型紙も切り紙の技法を用いて作られることもある。
【先行技術文献】
【特許文献】
【０００３】
【特許文献１】特開２００１−１３８６９１号公報
【特許文献２】特開２００６−２２４６４２号公報
【特許文献３】特開２００９−２３７４６号公報
【非特許文献】
【０００４】
【非特許文献１】そのまま作れる  切り紙練習帳  大原  まゆみ著  Ｐ９２〜Ｐ９５
【発明の概要】
【発明が解決しようとする課題】
【０００５】
切り紙や折り紙の６つ折り（正方形の紙の中心から６０度に６等分）、１０折り（正方形の紙の中心から３６度に１０等分）、を折ってみると基点となる折れ線の位置がずれやすい。６つ折りと１０折りは手馴れない方にはむずかしく、きちんとした完成にたどり着けないことがある。ズレが生じる原因は基点となる位置を何度も紙を折り曲げてポイントを導き出すあいだに誤差が生じる為である。さらに、この工程の間に余計な折れ跡が何本も入ってしまっている。基点となる折れ線がずれているのかの是非は、ポイントを導き出した時点ではわかりにくく、折り進まないと、判断できない。何度も紙を折り返したあげく失敗し、紙を無駄にしてしまうことがある。６つ折り、１０折り、それぞれをさらに半分に折って作る１２折りと２０折りにも同様のことが言える。従来の手紙などに使われる三つ折り補助具では紙の中心点から紙に角度を付けて折り曲げることができず、折り曲げ角も９０度に限られてしまい、切り紙の６つ折り、１０折りには使えない。
【課題を解決するための手段】
【０００６】
本発明は、請求項１は切り紙や折り紙の６つ折りと１０折りを折る際の補助具であって、折り返し可能な板からなるもので、直線状に２つ折りに折り返された形態をもち、前記板をいったん開いた状態で、谷折りにされている面の折り曲げられてできる直線状の辺を折り曲げ辺とし前記折り曲げ辺を、切り紙補助具を使用する者の側に向けて左右に向かって存在する状態で上下左右を定義し、前記折り曲げ辺に対し対応する上側の面を折り曲げ角度部とし、前記折り曲げ辺に対し対応する下側の面を台座部とし、その折り返された折り曲げ辺の裏側に沿って薄肉部を形成し、この薄肉部において前記折り曲げ角度部を折り返し可能とし、前記折り曲げ辺の左右のどちらかの端に対し、折り曲げ角度部は切り紙補助具上の折り曲げ辺から角度６０度又は７２度のいずれかの角度をなす一辺を持ち合わせ、この一辺を折り曲げ基準端とし、さらに前記折り曲げ辺の折り曲げ角度部の折り曲げ基準端が接する端に対し、前記台座部の一辺が角度９０度をなす辺を持ち合わせ、この一辺を台座部基準端とし、開いた状態の切り紙補助具の前記折り曲げ辺に、正方形の紙を対角線に２つ折りした三角形の紙の底辺を合わせると同時に前記三角形の紙の頂点を台座部基準端にあわせて設置し、折り曲げ角度部を手前に折り返す形で設置された前記三角形の紙を押さえると同時に折り曲げ角度部の折り曲げ規準端に沿って前記三角形の紙を手前に折り曲げることにより、前記の三角形の紙の底辺に対し底辺の中心点を至る角度６０度もしくは７２度の折れ線を示すことを特徴とする切り紙補助具。
請求項２は前記折り曲げ辺は表面と裏面の両面に薄肉部を形成し、折り曲げ角度部が切り紙補助具の表面と裏面の両面に折り曲げ可能としたことを特徴とする切り請求項１記載の切り紙補助具。請求項３は前記折り曲げ辺は、折り曲げ角度部と台座部の間に前記三角形に２つ折りした紙が入る隙間を設けた状態で、前記折り曲げ辺に当たる所に断面略U字状に折り曲げ加工を施された略Ｕ字曲げ部をもつ請求項１記載の切り紙補助具。
請求項４は前記切り紙補助具は、折り曲げ辺の両端に切り紙補助具上の折り曲げ辺から角度６０度折又は７２度のいずれかの角度をなす２つの辺を持ち合わせ、この２つの辺を折り曲げ基準端とし、さらに前記折り曲げ辺の両端に対し、前記台座部の２つの辺が角度９０度をなし、２つの台座部基準端を要することを特徴とする請求項１記載の切り紙補助具。請求項５は前記折り曲げ辺は表面と裏面の両面に薄肉部を形成し、折り曲げ角度部が切り紙補助具の表面と裏面の両面に折り曲げ可能としたことを特徴とする請求項４記載の切り紙補助具。請求項６は前記折り曲げ辺は、折り曲げ角度部と台座部の間に前記三角形に２つ折りした紙が入る隙間を設けた状態で前記折り曲げ辺に当たる所に断面略U字状に折り曲げ加工を施された略Ｕ字曲げ部をもつ請求項４記載の切り紙補助具。
【０００７】
請求項１、請求項２、請求項４、請求項５の切り紙補助具の素材は折り返し可能で、曲げ疲労性に優れた性質の板からなるもので、その一例としてポリプロピレンがあげられる。
請求項３、請求項６の切り紙補助具は略Ｕ字状の折り曲げ加工に適した樹脂板もしくは金属板が好ましくその一例として、メタクリル、アクリル、ステンレスが挙げられる。
【発明の効果】
【０００８】
本発明は正方形の紙を対角線に２つ折りした三角形の紙の底辺を切り紙補助具の折り曲げ辺に密着させると同時に前記三角形の紙の頂点を台座基準端に合わせるため、正確に紙の中心から６つ折り、１０折りに必要な折り目を正確かつ容易に折ることができる。当然のことながら１２折り、２０折りにも発展できる。
付け加えて、折り曲げ角度部で押さえながら紙を折るため、紙が弛まず、ずれることがない。折る紙に余計な折れ線を付けることもなく、正確かつ簡単に切り紙、  折り紙、ハワイアンキルトの型紙を作ることができる。また請求項２と請求項５の切り紙補助具は折り曲げ角度部が台座部に対し表と裏の両方に折り曲げ可能なため、切り紙補助具を使用する者が紙を折りやすいポジションを選んで使用できる。
【図面の簡単な説明】
【０００９】
【図１】本発明のー実施形態を示す平面図である。
【図２】本発明のー実施形態を示す平面図である。
【図３】本発明のー実施形態を示す平面図である。
【図４】本発明のー実施形態を示す平面図である。
【図５】本発明のー実施形態を示す展開図である。
【図６】本発明のー実施形態を示す展開図である。
【図７】本発明のー実施形態を示す展開図である。
【図８】本発明のー実施形態を示す展開図である。
【図９】本発明のー実施形態を示す側面図である。
【図１０】本発明のー実施形態を示す側面図である。
【図１１】本発明のー実施形態を示す側面図である。
【図１２】本発明のー実施形態に係わる切り紙補助具による折り方手順を示す図である。
【発明を実施するための形態】
【００１０】
以下、本発明のー実施形態を図１から図１２に基づいて説明する。  図１において請求項１の切り紙補助具１‐（ａ）および請求項２の切り紙補助具１−（ｂ）の平面図を示し、図２において請求項３の切り紙補助具１‐（ｃ）の平面図を示し、図３において、請求項４の切り紙補助具１‐（ｄ）および請求項５の切り紙補助具１‐（ｅ）の平面図を示し、図４において請求項６の切り紙補助具１−（ｆ）の平面図を示し、図５において請求項１の切り紙補助具１‐（ａ）の展開図を示し、図６において請求項２の切り紙補助具１‐（ｂ）の展開図を示し、図７において請求項４の切り紙補助具１‐（ｄ）の展開図を示し、図８において請求項５の切り紙補助具１‐（ｅ）の展開図を示し、図９において請求項１の切り紙補助具１‐（ａ）および請求項４の切り紙補助具１‐（ｄ）の側面図を示し  、図１０において請求項２の切り紙補助具１‐（ｂ）および請求項５の切り紙補助具１‐（ｅ）の側面図を示し、図１１において請求項３の切り紙補助具１‐（ｃ）および請求項６の切り紙補助具および１−（ｆ）の側面図を示し、図１２において本発明のー実地形態に係わる切り紙補助具による折り方手順を示す図面を表す。おいて符号１‐（ａ）、１‐（ｂ）、１‐（ｃ）、１‐（ｄ）、１‐（ｅ）、１‐（ｆ）は、本実施形態に係わる切り紙補助具を示し、正方形の紙を対角線に２つ折りした紙に６つ折り、１０折りをするために必要な折れ線を簡単かつ正確に折り目をつけるものである。
【００１１】
ついで、このように構成された本実態形態に係わる切り紙補助具１‐（ｄ）の折り曲げ基準端角度６０度４を用いて、正方形の紙を対角線に２つ折りしてできる三角形の紙Ｐを用いて６つ折りを折る時に基点となる折れ線Ｌの折り方について図１２を用いて説明する。
【００１２】
まず、机などに前記切り紙補助具１‐（ｄ）を開いた状態で置き、図１２（ａ）の示すように折り曲げ辺２に正方形の紙を対角線に２つ折りした三角形の紙Ｐの底辺を図の様に合わせると同時に、前記三角形の紙Ｐの頂点を台座部６の台座基準端右７に合わせる
【００１３】
ついで、図１２（ｂ）の示すように折り曲げ角度部３を手前に閉じる。
【００１４】
ついで、図１２（ｃ）の示すように折り曲げ角度部３を押さえながら正方形の紙を対角線に２つ折りした三角形の紙Ｐを折り曲げ角度部３の折り曲げ基準端角度６０度４に沿って手前に折り曲げると６つ折りに必要な折れ線が記される。１０折りを折る時は折り曲げ辺の端に対し角度７２度の基準端を設定すればよい。図１２では切り紙補助具１−（ｄ）の折り曲げ基準端角度７２度５がその役割を持つ。
【００１５】
ついで、図１２（ｄ）の示すように折り曲げられた正方形の紙を対角線に２つ折りした三角形の紙Ｐを切り紙補助具１‐（ｂ）から引き出すと６つ折りを折る時に必要な基点となる折れ線Ｌが正確に示される。
【実施例】
【００１６】
図３、図７、図９、図１２に基づいて説明する。発明の切り紙補助具はタテ１５ｃｍヨコ１５ｃｍ  板厚０．５ｍｍである。ただしこのサイズは一例で大きな紙を折るときはサイズを大きく、小さな紙を折るときはサイズを小さくすればよい。材料は折り返し可能で、曲げ疲労性に優れた性質の板からなるもので、その一例としてポリプロピレンがあげられる。また折り曲げ角度部と台座部の形状は、切り紙補助具の機能を損なわない範囲において自由であり、たとえば折り曲げ角度部の折り曲げ基準端でない辺は台座部上から少しはみ出した所や台座部上の内側に設けることにより折り曲げ角度部を開閉しやすくすることができる。また台座部の基準端でない辺のガイド部と重なる部分にくびれた部分を設けても同様の効果が得られる。また、折り曲げ角度部の基準端は、定規に見られるように角を斜めに仕上げると、さらに折り曲げやすくなる。
また、請求項３および請求項６の切り紙補助具の材料はその一例として、略Ｕ字状の折り曲げ加工に適した樹脂板もしくは金属板が好ましくその一例として、メタクリル、アクリル、ステンレスがあげられる。
【産業上の利用可能性】
【００１７】
切り紙、折り紙、ハワイアンキルトの型紙の確実な製作と製作時間短縮に活用できる。
【符号の説明】
【００１８】
１−（ａ）切り紙補助具
１−（ｂ）切り紙補助具
１−（ｃ）切り紙補助具
１−（ｄ）切り紙補助具
１−（ｅ）切り紙補助具
１−（ｆ）切り紙補助具
２．      折り曲げ辺
３．      折り曲げ角度部
４．      折り曲げ基準端角度６０度
５．      折り曲げ基準端角度７２度
６．      台座部
７．      台座基準端右
８．      台座基準端左
９．      薄肉部
１０．    略Ｕ字曲げ部
Ｐ．      正方形の紙を対角線に２つ折りした三角形の紙  
Ｌ．      ６つ折りを折る時に基点となる折れ線  
【図１】
2011062913.tif 000003
【図２】
2011062913.tif 000004
【図３】
2011062913.tif 000005
【図４】
2011062913.tif 000006
【図５】
2011062913.tif 000007
【図６】
2011062913.tif 000008
【図７】
2011062913.tif 000009
【図８】
2011062913.tif 000010
【図９】
2011062913.tif 000011
【図１０】
2011062913.tif 000012
【図１１】
2011062913.tif 000013
【図１２】
2011062913.tif 000014